(57)【要約】【課題】従来の技術では、対象物質の濃度が低い場合には検知することが難しいとの問題があった。本発明の目的は、簡便・迅速に微少数の微生物の等の検知を行うことにある。【解決手段】空気中の目的粒子をろ過捕集する親水性フィルタと、親水性フィルタに接触配置され、目的粒子に由来する物質に特異的に結合する標識を保持する試薬保持部と、試薬保持部に接触配置され、目的粒子に由来する物質に結合する物質が固定されたメンブレンと、メンブレンに接触配置された吸水性フィルタと、親水性フィルタの下面かつ吸水性フィルタの上面に配置された疎水性フィルタで構成することで、目的粒子を濃縮検知することが可能になり、微少な目的粒子を高感度に検知することが可能になる。【選択図】図１
2016045056.tif 000002
【特許請求の範囲】
【請求項１】
気中の目的粒子を捕集する捕集部と、前記目的粒子に由来する物質に特異的に結合する標識を前記捕集された目的粒子に結合する試薬保持部と、前記標識が結合された目的粒子に由来する物質を固定する固定部とを有して、前記捕集部の前記目的粒子を捕集するため表面面積よりも、前記試薬保持部の前記捕集部と連通する部分の面積が小さく形成されており、さらに、前記捕集部に隣接して設けられ前記目的粒子に由来する物質が前記試薬保持部に移動するようにガイドする疎水性のガイド部を有することを特徴とする気中特定粒子の固定装置。
【請求項２】
請求項１において、前記固定部に隣接して吸水部が配置されることを特徴とする気中特定粒子の固定装置。
【請求項３】
請求項１において、前記目的粒子に由来する物質は前記捕集部から前記試薬保持部に移動することを特徴とする気中特定粒子の固定装置。
【請求項４】
請求項２において、前記吸水部は親水性フィルタとして構成され、前記ガイド部は疎水性フィルタとして構成され、前記固定部はメンブレンとして構成され、前記親水性フィルタと、前記試薬保持部と、前記疎水性フィルタは環状のフィルタであり、かつ前記メンブレンと前記吸水性フィルタは円状のフィルタで構成され、前記親水性フィルタの外周よりも内側に前記メンブレンの外周が位置することを特徴とした気中特定粒子の固定装置。
【請求項５】
請求項２において、前記吸水部と、前記試薬保持部と、前記捕集部と、前記ガイド部は二つの環部材の間に挟まれ、かつ前記二つの環部材のうち、前記吸水部に接する環部材は三重環であることを特徴とした気中特定粒子の固定装置。
【請求項６】
請求項３において、前記三重環の外側の環と中間の環の間は液体の注入口であり、前記三重環の中間の環と内側の環の間は気中の目的粒子が通過するための窓であり、前記三重環の内側の環の中心は前記固定部の観察用の窓であることを特徴とした気中特定粒子の固定装置。
【請求項７】
請求項１乃至４のいずれかにおいて、前記粒子は、ウイルス、細菌、酵母、原生動物、菌類、胞子、花粉、動物の皮膚の破片、ダニの糞や死骸、ハウスダスト、排ガス粒子、鉱石粒子のいずれかの粒子であることを特徴とした気中特定粒子の固定装置。
【請求項８】
気中の目的粒子を捕集する捕集部と、前記目的粒子に由来する物質に特異的に結合する標識を前記捕集された目的粒子に結合する試薬保持部と、前記標識が結合された目的粒子に由来する物質を固定する固定部とを有して、前記捕集部の前記目的粒子を捕集するため表面面積よりも、前記試薬保持部の前記捕集部と連通する部分の面積が小さく形成されており、さらに、前記捕集部に隣接して前記目的粒子に由来する物質が前記試薬保持部に移動するようにガイドする疎水性のガイド部と、気体を吸引する吸引ポンプと、吸引ポンプと連結するホルダを有することを特徴とする気中特定粒子検知装置。
【請求項９】
請求項６において、測定対象の粒子を含む気体を封入した袋を前記気中特定粒子検知装置に連結することで、前記測定対象の粒子を検知することを特徴とする気中特定粒子検知装置。
【請求項１０】
固定装置を組み込んだマスクにおいて、前記固定装置は、気中の目的粒子を捕集する捕集部と、前記目的粒子に由来する物質に特異的に結合する標識を前記捕集された目的粒子に結合する試薬保持部と、前記標識が結合された目的粒子に由来する物質を固定する固定部とを有して、前記捕集部の前記目的粒子を捕集するため表面面積よりも、前記試薬保持部の前記捕集部と連通する部分の面積が小さく形成されており、さらに、前記捕集部に隣接して前記目的粒子に由来する物質が前記試薬保持部に移動するようにガイドする疎水性のガイド部を有することを特徴とするマスク。
【請求項１１】
気中の目的粒子を捕集部で捕集し、前記目的粒子に由来する物質に特異的に結合する標識を前記捕集された目的粒子に試薬保持部で結合させ、前記標識が結合された目的粒子に由来する物質を固定部で固定する方法であって、前記捕集部の前記目的粒子を捕集するため表面面積よりも、前記試薬保持部の前記捕集部と連通する部分の面積が小さく形成されており、前記捕集部に隣接して設けられ前記目的粒子に由来する物質が前記試薬保持部に移動するように疎水性のガイド部でガイドする特定粒子検知方法。
【発明の詳細な説明】
【技術分野】
【０００１】
本発明は、気中特定粒子の固定装置、気中特定粒子検知装置、マスク及び特定粒子検知方法に係り、特に、呼気中または大気中に含まれる微粒子をフィルタに捕集したのち、特異的に結合する物質を標識して検知するのに好適な気中特定粒子の固定装置、気中特定粒子検知装置、マスク及び特定粒子検知方法に関する。
【背景技術】
【０００２】
安心・安全な社会生活を送る上で、インフルエンザや結核などの感染症の感染拡大を防ぐことは非常に重要である。これらの感染症は、患者体内から大気中に放出された菌やウイルスなどの微生物を含む飛沫が他者の体内に吸引されることで感染拡大すると考えられている。感染症の感染拡大を防止する有力な手段は感染者の早期発見及び隔離であり、医療現場ではさまざまな診断方法が使用されている。
【０００３】
例えば、インフルエンザなどの呼吸器系の感染症の診断には、簡便・迅速であることから、簡易キットがよく使用されている。この方法は、患者の鼻腔内に綿棒を挿入し鼻腔内の体液を採取したのち、免疫クロマトグラフィ法により体液に含まれているウイルスや菌などの微生物の抗原を検知する方法である。
【０００４】
簡易キットを用いた診断では患者の体内から微生物の抗原を採取する医療行為を伴う作業が必要であるため、より簡易的に微生物を検知する方法として、空気中に漂うウイルス、菌などの微生物や花粉、ハウスダストなどのアレルゲンを直接捕集し、検知する方法が注目されている。
【０００５】
例えば、特許文献１記載には、捕集されたアレルゲン量を検出する技術が記載されており、アレルゲン捕集部材にアレルゲンを捕集したのち、アレルゲンの抗原を溶出させ、抗原の検出を検知する技術が記載されている。
【先行技術文献】
【特許文献】
【０００６】
【特許文献１】特開2000-88848号公報
【発明の概要】
【発明が解決しようとする課題】
【０００７】
一方、上記従来技術では、被検者に苦痛を与えずにアレルゲンを採取することが可能であるものの、しかしながら、捕集物質の多くが固定されずに外部にでてしまい、そのため、捕集された物質のごく一部しか検知することができない。そのため対象物質の濃度が低い場合には検知することが難しいとの問題があった。
【０００８】
本発明は、上述した従来技術の問題に鑑み、その目的は、簡便・迅速に微少数の微生物の等の検知を行うための気中特定粒子の固定装置、気中特定粒子検知装置、マスク及び特定粒子検知方法を提供することにある。
【課題を解決するための手段】
【０００９】
上記の目的を達成するため、本発明によれば、気中の目的粒子を捕集する捕集部と、前記目的粒子に由来する物質に特異的に結合する標識を前記捕集された目的粒子に結合する試薬保持部と、前記標識が結合された目的粒子に由来する物質を固定する固定部とを有して、前記捕集部の前記目的粒子を捕集するため表面面積よりも、前記試薬保持部の前記捕集部と連通する部分の面積が小さく形成されており、さらに、前記捕集部に隣接して前記目的粒子に由来する物質が前記試薬保持部に移動するようにガイドする疎水性のガイド部を有するように構成した。
【００１０】
具体的な例としては、気中の目的粒子をろ過捕集する親水性フィルタと、前記親水性フィルタに接触配置され、前記目的粒子に由来する物質に特異的に結合する標識を保持する試薬保持部と、前記試薬保持部に接触配置され、目的粒子に由来する物質に結合する物質が固定されたメンブレンと、前記メンブレンに接触配置された吸水性フィルタと、前記親水性フィルタの下面かつ前記吸水性フィルタの上面に配置された疎水性フィルタで構成される気中粒子の検知用フィルタカートリッジであって、前記親水性フィルタの面積よりも前記メンブレンの面積が小さいことを特徴とするフィルタカートリッジが提供される。
【００１１】
また、本発明によれば、前記に記載したフィルタカートリッジにおいて、前記親水性フィルタと、前記試薬保持部と、前記疎水性フィルタは環状のフィルタであり、かつ前記メンブレンと前記吸水性フィルタは円状のフィルタで構成され、前記親水性フィルタの外周よりも内側に前記メンブレンの外周が位置することを特徴としたフィルタカートリッジが提供される。
【００１２】
また、本発明によれば、前記に記載したフィルタカートリッジにおいて、前記親水性フィルタと、前記試薬保持部と、前記メンブレンと、前記疎水性フィルタと、前記吸水フィルタは二つの環部材の間に挟まれた構造を特徴とし、かつ前記二つの環部材のうち、前記親水性フィルタに接する環部材は三重環であることを特徴としたフィルタカートリッジが提供される。
【００１３】
また、本発明によれば、前記に記載したフィルタカートリッジにおいて、前記三重環の外側の環と中間の環の間は液体の注入口であり、前記三重環の中間の環と内側の環の間は気中の目的粒子が通過するための窓であり、前記三重環の内側の環の中心は前記メンブレンの観察用の窓であることを特徴としたフィルタカートリッジが提供される。
【００１４】
また、本発明によれば、前記に記載したフィルタカートリッジと、気体を吸引する吸引ポンプと、前記フィルタカートリッジを保持し、吸引ポンプと連結するホルダで構成された気中特定粒子検知装置が提供される。
【００１５】
また、本発明によれば、前記に記載した気中特定粒子検知にて、気中の目的粒子を前記親水性フィルタに捕捉したのち、前記三重環の外側の環と中間の環の間に前記目的粒子に由来する物質を溶出させる液体を注入することで、前記目的粒子に由来する物質を前記メンブレンの中心に濃縮し検知する特定粒子検知方法が提供される。
【００１６】
また、本発明によれば、前記粒子は、ウイルス、細菌、酵母、原生動物、菌類、胞子、花粉、動物の皮膚の破片、ダニの糞や死骸、ハウスダスト、排ガス粒子、鉱石粒子のいずれかの粒子であり、これらの微粒子を捕集するフィルタカートリッジが提供される。
【発明の効果】
【００１７】
本発明によれば、大気中もしくは呼気中の微生物等の捕集・濃縮・検出を迅速に行うことにより、検査者の技量の有無にかかわらず、簡便・迅速・高感度に検出が可能になるという極めて優れた効果を発揮する。  
【図面の簡単な説明】
【００１８】
【図１】本発明の実施例１になる気中微生物検知装置の基本構成を示すための図である。
【図２】本発明の実施例１になるフィルタカートリッジの組図を示すための図である。
【図３】本発明の実施例１になるフィルタカートリッジの効果を示すための図である。
【図４】本発明の実施例１になるフィルタカートリッジの効果を示すための図である。
【図５】本発明の実施例１になるフィルタカートリッジの効果を示すための図である。
【図６】本発明の実施例１になるフィルタカートリッジの効果を示すための図である。
【図７】本発明の実施例１になる検知方法の一例を示すための図である。
【図８】本発明の実施例１になる検知方法の一例を示すための図である。
【図９】本発明の実施例１になる検知方法の一例を示すための図である。
【発明を実施するための形態】
【００１９】
前述したように、感染症の拡大を防ぐには患者の早期発見及び隔離が重要である。そのためには、微生物を簡便に採取し、さらに微生物を簡便・迅速・高感度に検知することが求められる。そこで本願発明の発明者らは空気中もしくは呼気中の微少数の微生物を捕集・検知するための方法及び装置を種々検討した結果。本願発明に至った。以下その好ましい実施例について説明する。
【００２０】
なお、本明細書において、検知対象となる空気中もしくは呼気中に含まれる微生物とは、通常の微生物の概念より広く、ウイルス、細菌、酵母、原生動物、菌類、胞子、花粉の検査方法及び検査装置を意味する。また、本明細書では、表記を簡単にするため、一般的に定義されている微生物（細菌、酵母、原生動物、菌類）の他、ウイルス、胞子、花粉を含め単に「微生物」と表記した。
【００２１】
以下、図面を参照して、本発明の実施例を説明する。なお、後述する実施の形態は一例であって、各実施例同士の組み合わせ、公知又は周知の技術との組み合わせや置換による他の態様も可能であることは言うまでもない。
【実施例１】
【００２２】
始めに、図１を用い本発明における気中微生物検知装置１の基本構成について説明する。
【００２３】
図１は、気中微生物検知装置１の概略構成を示す図である。気中微生物検知装置１は、気中の微生物１５０を捕集・検知するためのカートリッジ１０と、微生物１５０を含んだ空気もしくは呼気を吸引するためのポンプ１００で構成される。カートリッジ１００は、気中の微生物１５０をろ過捕集し、かつ免疫クロマトグラフィ法により検知する機能を備えたフィルタ１１と、フィルタ１１を保持したポンプ１００に連結するホルダ１２で構成される。図１では、カートリッジ１０の構成を明確にするためにカートリッジ１０を断面図で表現し、かつフィルタ１１の拡大断面図を引き出し内に記載した。
【００２４】
フィルタ１１は、微生物１５０を含んだ空気もしくは呼気を通過させることでろ過捕集する微生物捕集フィルタ１１１（或いは捕集部とも称する）と、捕集した微生物１５０由来の物質に特異的に結合する物質を含有する試薬パット１１２（或いは試薬保持部とも称する）と、捕集した微生物１５０由来の物質に特異的に結合する物質が表面に固定されている微生物検知用メンブレン１１３（或いは固定部とも称する）と、通気性かつ疎水性の性質を備えた疎水性フィルタ１１４（或いはガイド部とも称する）と、通気性かつ吸水性の性質を備えた吸水パット１１５と、これらの部材を間に挟む上枠１１０と下枠１１６で構成される。
【００２５】
ホルダ１２は、ホルダ上部１２１とホルダ下部１２２で構成され、ホルダ上部１２１とホルダ下部１２２の間にフィルタ１１を挟み保持する。
【００２６】
微生物捕集フィルタ１１１と試薬パット１１２は環状であり、微生物捕集フィルタ１１１の内周部と試薬パット１１２の外周部、試薬パット１１２の内周部と微生物検知用メンブレン１１３の外周部が接触配置される。微生物捕集フィルタ１１１と吸水パット１１５は間に疎水性フィルタ１１４を挟む三層構造で、微生物捕集フィルタ１１１と吸水パットは互いに接触しないように配置される。疎水性フィルタ１１４は中心部に貫通穴があり、微生物検知用メンブレン１１３と吸水パット１１５の中心部が接触する。また、図から明らかなように、微生物捕集フィルタ１１１の面積は微生物検知用メンブレン１１３よりも大きい。
【００２７】
図２は、フィルタ１１の組図である。フィルタ１１は、上から上枠１１０、微生物捕集フィルタ１１１、試薬パット１１２、微生物検知用メンブレン１１３、疎水性フィルタ１１４、吸水パット１１５、下枠１１６の順番に同心円状に積層した構造である。
【００２８】
次に各構成部品について必要な性能及び材質について説明する。
【００２９】
上枠１１０は、三つの環が連結した構造であり、液体を注入するための溶解液注入口１１０１を円周側に備え、微生物検知用メンブレン１１３に表示される検知結果を観察するための観察窓１１０３を中心に備え、空気もしくは呼気が通過するための吸気窓１１０２を溶解液注入口１１０１と観察窓１１０２の間に備える。
【００３０】
微生物捕集フィルタ１１１は通気性かつ親水性の性質を備えたフィルタであり、微生物１５０を含む空気もしくは呼気をろ過した際に、フィルタの孔径よりも大きい粒子を捕捉する。測定対象の微生物１５０の粒径が細菌やウイルスなど粒径数μm以下の粒子である場合は対象物をフィルタ表面で捕集するメンブレンフィルタを使用し、測定対象の微生物１５０が花粉やカビなど粒径１０μm以上の粒子である場合は対象物を内部で捕集するデプスフィルタを使用することが好ましい。
【００３１】
また、空気もしくは呼気に測定対象の微生物よりも大きい粒子が多く含まれる場合には、メンブレンフィルタにデプスフィルタを重ねた構造のフィルタを微粒子捕集用フィルタ１１１として使用してもよい。この場合、測定対象ではない大きい粒子はデプスフィルタに捕集され、測定対象の微生物はメンブレンフィルタに捕集される。
【００３２】
試薬パット１１２は、測定対象の微生物１５０に由来する物質に特異的に結合する標識物質を乾燥状態で内部に保持するデプスフィルタである。ここでの標識物質とは測定対象の微生物１５０に特異的に結合する目印となる物質であり、具体的には測定対象の微生物１５０の抗体と結合した金微粒子（金微粒子標識抗体とする）や蛍光色素（蛍光色素標識抗体とする）である。
【００３３】
微生物検知用メンブレン１１３は、測定対象の微生物１５０に由来する物質に特異的に結合する物質を表面に固定したメンブレンフィルタである。具体的には、表面に測定対象の微生物１５０の抗体を結合させたメンブレンフィルタを使用する。
【００３４】
疎水性フィルタ１１４は、中心部に貫通穴１１４１を備えた疎水性かつ通気性の特性を備えたフィルタである。微生物粒子１５０の捕集時の圧力損失を低減させるためには通気性に優れたデプスフィルタが好ましい。
【００３５】
吸水パット１１５は、中心部に突起１１５１を備えた通気性かつ吸水性に優れた特性を備えたフィルタである。突起１１５１は疎水性フィルタ１１４の貫通穴１１４１を通過し微生物検知用メンブレン１１３に接する。吸水パットは吸水性に優れたデプスフィルタが好ましい。
【００３６】
使用するメンブレンフィルタの材質の候補としては、ポリビニリデンフロライド、ポリエーテルスルホン、セルロース混合エステル、ポリカーボネイト、ポリテトラフルオロエチレンがあげられ、デプスフィルタとしては、ナイロン、ポリプロピレン、グラスファイバー、紙があげられ、これらのフィルタを撥水処理することにより疎水性になる。また吸水パット１１５のように吸水性を必要とする場合には、吸水性ポリマーを内部に保持させたフィルタを使用してもよい。
【００３７】
図３〜６は検知工程を説明するためのフィルタ１１の断面図である。図３〜６に沿って本発明による微生物１５０の検知工程を説明する。
【００３８】
本発明の気中微生物検知装置１は、空気中もしくは呼気中の微生物１５０をろ過捕集する捕集工程（図３）、フィルタ１１の表面もしくは内部に液体を流動させることで捕集した微生物１５０を濃縮する濃縮工程（図４、図５）、濃縮した微生物１５０を免疫クロマトグラフィ法により検知する検知工程（図６）を経ることで空気中もしくは呼気中の微生物１５０を検知する。
（１）捕集工程
始めに図３に示す捕集工程について説明する。捕集工程では、ポンプ１００（図１記載）によって空気もしくは呼気を吸引する。空気もしくは呼気中は気流１６０に沿って流れ、微生物捕集フィルタ１１１、疎水性フィルタ１１４、吸水パット１１５の順に通過するが、空気もしくは呼気に含まれる微生物１５０は微生物捕集フィルタ１１１にてろ過捕集される。
（２）濃縮工程
次に図４と図５に示す濃縮工程ついて説明する。図４は捕集工程の終了後にホルダ上部１２１（図１）を取り外し、フィルタ１１の溶解液注入口１１０１にスポイトなどの注水器具を用いて溶解液１５１を注いだ直後の様子を示す図である。溶解液注入口１１０１はフィルタ１１の外周部にあり、溶解液１５１はフィルタ１１の外周部に沿って保持される（図４）。溶解液１５１は微生物１５０に由来する抗原を液中に溶出させる効果のある液体で、免疫クロマトグラフィ法にて微生物１５０に由来する抗原や試薬パット１１２に保持される標識物質（ここでは金微粒子結合抗体）を運搬する機能を備える。
【００３９】
図５は溶解液注入口１１０１に注入された溶解液１５１の流動の様子を示す図である。注入された溶解液１５１は表面張力により微生物捕集フィルタ１１１、試薬パット１１２、微生物検知用メンブレン１１３の順にフィルタ１１の円周から中心方向に流動する。微生物検知用メンブレン１１３まで到達した溶解液１５１は、微生物検知用メンブレン１１３に接触している吸水パット１１５により吸水されるため、吸水パット１１５の吸水が止まるまでフィルタ１１の円周から中心方向に向かって溶解液１５１は流動する。一方、微生物捕集フィルタ１１１と吸水パット１１５の間にある疎水性フィルタ１１４には溶解液１５１は浸透しないため、溶解液１５１は微生物捕集フィルタ１１１から吸水パット１１５に直接流動することはない。
【００４０】
図５内の引き出しの図（（a）(b)）は、微生物１５０由来の抗原１５３に起こる反応を溶解液１５１の流動に沿って(a)から(b)の順に示した図である。
始めに、微生物捕集フィルタ１１１に捕集された微生物１５０が溶解液１５１に触れると、溶解液１５１により微生物１５０に由来する抗原１５３が溶解液１５１中に溶出する(図(a))。
【００４１】
次に、溶解液１５１が試薬パット１１２まで流動すると、試薬パット１１２に保持されていた標識物質（金微粒子標識抗体１５４）は溶解液１５１に溶出し、抗原１５３と結合し抗原-金微粒子標識抗体複合体１５５を形成する（図(b)）。
【００４２】
円周側から中心に向う溶解液１５１の流動のため、微生物捕集フィルタ１１１の全面に捕集された微生物１５０の抗原１５３は、微生物検知用メンブレン１１３の中心に濃縮される。
（３）検知工程
最後に図６に示す検知工程について説明する。図６内の引き出しの図（c）は微生物１５０由来の抗原１５３に起こる反応を示した図である。濃縮工程にて微生物検知用メンブレン１１３の中心に濃縮された抗原-金微粒子標識抗体複合体１５５は微生物検知用メンブレン１１３の表面に固定された抗体１５６と結合し抗体-抗原-金微粒子標識抗体複合体を形成する。この反応により、微生物検知用メンブレン１１３上には金微粒子が密集し、赤紫色の発色１１３１を示す。観察窓１１０３より発色を目視確認することで測定対象の微生物１５０の有無を確認することができる。
【００４３】
本実施例のフィルタ１１は、フィルタ１１の円周から中心に向かう溶解液１５１の流動を利用した濃縮工程があるため、捕集した微生物１５０が少ない場合でも微生物１５０の抗原１５３を濃縮し検知することが可能になる。
【００４４】
また、本実施例では溶解液１５１は表面張力により流動させたが、溶解液１５１の注入後にポンプ１００によって吸引することで、溶解液１５１の流動を促進してもよい。
【００４５】
図７は、目視確認以外の検知方法である。前述の実施例では、金微粒子標識抗体を使用したが、蛍光色素を抗体に結合させた蛍光色素標識抗体を使用してもよい。検知工程にて、励起光１７２を光源１７１から観察窓１１０３に照射すると微生物検知用メンブレン１１３上に密集した蛍光色素は蛍光１７４を発する。この蛍光１７４を光検知器１７３で検知することで、微生物１５０の有無を確認することができる。蛍光検知は目視確認よりも高感度の検知方法であるため、数少ない微生物の有無を確認することができる。また、蛍光量によって捕集した微生物１５０の数を推定することも可能である。
【００４６】
図８は、測定対象の空気もしくは患者の呼気を封入した袋に含まれる微生物の検知方法を示す図である。測定対象の気体を封入した袋１３をカートリッジ１０に連結することで、袋１３に含まれる微生物１５０をフィルタ１１上に捕集することができる。捕集後は前述の工程により微生物１５０を検知する。気中微生物検知装置１を持ち運ばなくとも、測定対象の空気もしくは患者の呼気を封入した袋を回収することで検査することが可能になる。
【００４７】
図９は、フィルタ１１を組み込んだマスク１４の図である。患者がマスク１４を長時間使用することにより患者の呼気に含まれる微生物がフィルタ１１表面に吸着する。検査時にはマスク１４からフィルタ１１を取り出し、前述の工程によりフィルタ１１に吸着した微生物を検知することができる。非常に簡便な方法であるため、感染の可能性を自己診断すること可能になる。
【符号の説明】
【００４８】
１…気中微生物検知装置、１０…カートリッジ、１１…フィルタ、１２…ホルダ、１００…ポンプ、１１１…微生物捕集フィルタ、１１２…試薬パット、１１３…微生物検知用メンブレン、１１４…疎水性フィルタ、１１５…吸水パット
【図１】
2016045056.tif 000003
【図２】
2016045056.tif 000004
【図３】
2016045056.tif 000005
【図４】
2016045056.tif 000006
【図５】
2016045056.tif 000007
【図６】
2016045056.tif 000008
【図７】
2016045056.tif 000009
【図８】
2016045056.tif 000010
【図９】
2016045056.tif 000011